(57)【要約】【課題】簡易な操作で複数のファイルを選択できる表示装置を提供する。【解決手段】表示装置１は、表示部２０と、制御部１０と、タッチパネル３０とを備える。制御部１０は、表示面２０Ａを有する。制御部１０は、複数のファイルのそれぞれに対応する複数のファイル選択領域ＡＳを表示面２０Ａに割り当てる。タッチパネル３０は、表示面２０Ａへの接触点の位置を検出する。制御部１０は、所定の入力が検出された後、接触点が通過したファイル選択領域ＡＳに対応するファイルを選択する。【選択図】図５
2016218841.tif 000002
【特許請求の範囲】
【請求項１】
表示面を有する表示部と、
複数のファイルのそれぞれに対応する複数のファイル選択領域を前記表示面に割り当てる制御部と、
前記表示面への接触点の位置を検出する検出部と
を備え、
前記制御部は、所定の入力が検出された後、前記接触点が通過した前記複数のファイル選択領域に対応する前記複数のファイルを選択する、表示装置。
【請求項２】
前記所定の入力は、前記ファイル選択領域内で所定時間以上停止した前記接触点が検出されることである、請求項１に記載の表示装置。
【請求項３】
前記制御部は、前記表示面にモード選択領域をさらに割り当て、
前記所定の入力は、前記モード選択領域内で前記接触点が検出されることである、請求項１に記載の表示装置。
【請求項４】
前記制御部は、前記所定の入力が検出された後、
前記表示面内で、前記ファイル選択領域を通過して移動する前記接触点が検出されると、複数の前記ファイル選択領域のそれぞれに対応する前記複数のファイルを維持させ、
前記表示面内で、前記ファイル選択領域を通過せずに移動する前記接触点が検出されると、複数の前記ファイル選択領域のそれぞれに対応する前記複数のファイルを変更する、請求項１から請求項３のいずれか１項に記載の表示装置。
【請求項５】
前記制御部は、複数の前記ファイル選択領域のそれぞれに対応する前記表示部の領域に重畳するように、複数の前記ファイル選択領域のそれぞれに対応する前記複数のファイルのサムネイルを前記表示部に表示させる、請求項１から請求項４のいずれか１項に記載の表示装置。
【請求項６】
前記複数のファイルは、フォルダーに格納され、
前記制御部は、
前記表示面内で一方方向に移動する前記接触点が検出されると、前記複数のファイル選択領域のそれぞれに対応する前記複数のファイルを変更し、
前記表示面内で前記一方方向に交差する方向に移動する前記接触点が検出されると、前記フォルダーに対応するフォルダー選択領域を前記表示面に割り当てる、請求項１から請求項５のいずれか１項に記載の表示装置。
【請求項７】
請求項１から請求項６のいずれか１項に記載の表示装置と、
選択された前記ファイルに基づいてシートに画像を形成する画像形成部と
を備える、画像形成装置。
【発明の詳細な説明】
【技術分野】
【０００１】
本発明は、表示装置、及び画像形成装置に関する。
【背景技術】
【０００２】
特許文献１に開示されたデジタル映像再生装置は、複数のファイルのサムネイルを表示するサムネイル表示部、及び選択ボタンを備える。デジタル映像再生装置では、選択ボタンが所定の時間より長く押下された場合、複数のサムネイルを連続して選択することができる。
【先行技術文献】
【特許文献】
【０００３】
【特許文献１】特開２０１２−２３０５７０号公報
【発明の概要】
【発明が解決しようとする課題】
【０００４】
しかしながら、特許文献１に記載されたデジタル映像再生装置では、ユーザーは、選択ボタンを所定の時間より長く押下した後、カーソルボタンを押下して複数のサムネイルを選択していく。従って、ユーザーは、サムネイルを選択する度にカーソルボタンを押下する為、連続してサムネイルを選択する操作が煩雑である。
【０００５】
本発明は、上記課題に鑑みてなされたものであり、簡易な操作で複数のファイルを選択できる表示装置及び画像形成装置を提供することを目的としている。
【課題を解決するための手段】
【０００６】
本発明の第１の観点によれば、表示装置は、表示部と、制御部と、検出部とを備える。表示部は、表示面を有する。制御部は、複数のファイルのそれぞれに対応する複数のファイル選択領域を前記表示面に割り当てる。検出部は、前記表示面への接触点の位置を検出する。前記制御部は、所定の入力が検出された後、前記接触点が通過した前記ファイル選択領域に対応する前記ファイルを選択する。
【０００７】
本発明の第２の観点によれば、画像形成装置は、本発明の第１の観点による表示装置と、画像形成部とを備える。画像形成部は、選択された前記ファイルに基づいてシートに画像を形成する。
【発明の効果】
【０００８】
本発明によれば、簡易な操作で複数のファイルを選択できる。
【図面の簡単な説明】
【０００９】
【図１】本発明の実施形態１に係る表示装置を示す図である。
【図２】（ａ）（ｂ）本発明の実施形態１に係る表示装置が通常選択モードにおいて実行するサムネイル表示制御を示す図である。
【図３】（ａ）（ｂ）本発明の実施形態１に係る表示装置が通常選択モードにおいて実行するサムネイル表示変更制御を示す図である。
【図４】（ａ）本発明の実施形態１に係る表示装置が連続選択モードにおいて実行する連続選択制御を示す図である。（ｂ）本発明の実施形態１に係る表示装置が連続選択モードにおいて実行するサムネイル表示変更制御を示す図である。
【図５】本発明の実施形態１に係る表示装置が実行する連続選択制御を示すフローチャートである。
【図６】本発明の実施形態２に係る画像形成装置を説明するための模式的断面図である。
【発明を実施するための形態】
【００１０】
以下、本発明の実施形態について、図面を参照しながら説明する。なお、図中、同一または相当部分については同一の参照符号を付して説明を繰り返さない。
【００１１】
（実施形態１）
図１及び図２（ａ）を参照して、本発明の実施形態１に係る表示装置１について説明する。図１は、表示装置１を示す。図２（ａ）は、サムネイル表示制御を実行する表示装置１の初期状態を示す。表示装置１は、制御部１０と、表示部２０と、検出部としてのタッチパネル３０とを備える。
【００１２】
表示部２０は、画像を表示する。表示部２０は、例えば、液晶ディスプレーである。表示部２０は、表示面２０Ａを有する。図２（ａ）において、Ｘ軸は、表示部２０の表示面２０Ａの長辺と平行であり、Ｙ軸は、表示部２０の表示面２０Ａの短辺と平行である。
【００１３】
タッチパネル３０は、表示部２０の表示面２０Ａへの接触点の位置を検出する。また、タッチパネル３０は、表示部２０の表示面２０Ａへの接触点の接触時間を測定する。本明細書では、例えば、ユーザーは一本の指でタッチパネル３０を操作する。
【００１４】
制御部１０は、通常選択モード及び連続選択モードを有する。通常選択モードにおいて、ユーザーは、複数のファイルを１つずつ選択する。一方、連続選択モードにおいて、ユーザーは、複数のファイルを連続して選択する。以下、通常選択モード及び連続選択モードの詳細について説明する。
【００１５】
まず、図１〜図３を参照して、通常選択モードの詳細について説明する。図２（ａ）及び図２（ｂ）は、表示装置１が実行するサムネイル表示制御を示す。初期状態の表示装置１では、モードは通常選択モードである。図２（ａ）に示すように、制御部１０は、初期状態では、表示部２０の表示面２０Ａにフォルダー選択領域２１を割り当てる。フォルダー選択領域２１は、フォルダーに対応する。フォルダーは、例えば、表示装置１が備える記憶部（不図示）から取得される。なお、フォルダーは、外部装置から取得されてもよい。表示部２０のうち、フォルダー選択領域２１に対応する領域には、フォルダー選択領域２１に対応するフォルダーを示す画像が表示される。フォルダーを示す画像は、例えばアイコンである。
【００１６】
本実施形態において、フォルダーＡ〜フォルダーＨが取得されている。従って、表示面２０Ａに割り当てられた８つのフォルダー選択領域２１のそれぞれは、フォルダーＡ〜フォルダーＨに対応している。表示面２０Ａの左上に割り当てられるフォルダー選択領域２１は、フォルダーＡに対応する。従って、表示面２０Ａの左上に割り当てられるフォルダー選択領域２１に対応する表示部２０の領域には、フォルダーＡを示す画像が表示されている。同様にして、複数のフォルダー選択領域２１のそれぞれに対応する表示部２０の領域には、フォルダーＢ〜フォルダーＨのそれぞれを示す画像が表示されている。
【００１７】
タッチパネル３０が、複数のフォルダー選択領域２１のうち、いずれかのフォルダー選択領域２１内で接触点を検出すると、制御部１０は、接触点が検出された位置のフォルダー選択領域２１に対応するフォルダーを選択する。例えば、タッチパネル３０がフォルダーＡに対応するフォルダー選択領域２１の位置で接触点を検出すると、制御部１０は、フォルダーＡを選択する。
【００１８】
図２（ｂ）に示すように、フォルダーが選択されると、制御部１０は、表示部２０の表示面２０Ａにファイル選択領域ＡＳを割り当てる。フォルダーには、ファイルが格納されている。ファイルは、例えば、データファイル、又は画像ファイルである。ファイル選択領域ＡＳは、選択されたフォルダーに格納されるファイルに対応する。表示部２０のうち、ファイル選択領域ＡＳに対応する領域には、例えば、チェックボックスが表示される。すなわち、表示部２０に表示されるチェックボックスは、選択されたフォルダーに格納されたファイルに対応する。
【００１９】
本実施形態において、フォルダーＡには、ファイル１〜ファイル８が格納されている。制御部１０は、表示面２０Ａに８つのファイル選択領域ＡＳを割り当てている。具体的には、表示面２０Ａには、表示面２０Ａの左上から表示面２０Ａの右上に向かう順序で４個のファイル選択領域ＡＳが割り当てられる。また、表示面２０Ａには、表示面２０Ａの右上に配置されたファイル選択領域ＡＳの次に、表示面２０Ａの左下にファイル選択領域ＡＳが割り当てられる。さらに、表示面２０Ａには、表示面２０Ａの左下から表示面２０Ａの右下に向かう順序で４個のファイル選択領域ＡＳが割り当てられる。
【００２０】
ユーザーは、複数のファイル選択領域ＡＳのそれぞれに対応する複数のファイルの順序を設定できる。例えば、ユーザーは、複数のファイルのそれぞれのファイル名の順に、複数のファイルのそれぞれを複数のファイル選択領域ＡＳに対応させる。本実施形態では、選択されたフォルダーＡに格納されているファイル１〜ファイル８が、ファイル名の順で８つのファイル選択領域ＡＳのそれぞれに対応している。
【００２１】
制御部１０は、ファイル選択領域ＡＳに対応する表示部２０の領域に重畳するように、ファイル選択領域ＡＳに対応するファイルのサムネイル２３を表示部２０に表示させる。本実施形態において、表示面２０Ａの左上に割り当てられるファイル選択領域ＡＳは、ファイル１に対応している。従って、制御部１０は、表示面２０Ａの左上に割り当てられるファイル選択領域ＡＳに対応する表示部２０の領域に重畳するように、ファイル１のサムネイル２３を表示部２０に表示させる。同様にして、制御部１０は、ファイル２〜ファイル８のそれぞれのサムネイル２３を表示部２０に表示させる。
【００２２】
通常選択モードにおいて、タッチパネル３０が複数のファイル選択領域ＡＳのいずれかの位置で接触点を検出すると、制御部１０は、接触点が検出された位置のファイル選択領域ＡＳに対応するファイルを選択する。例えば、タッチパネル３０が表示面２０Ａの左上に割り当てられるファイル選択領域ＡＳで接触点を検出すると、制御部１０は、ファイル１を選択する。ユーザーは、通常選択モードにおいて、複数のファイルを選択する場合、表示面２０Ａのうち、選択する複数のファイルのそれぞれに対応する複数のファイル選択領域ＡＳ内を順次接触する。
【００２３】
図３（ａ）及び図３（ｂ）は、表示装置１が通常選択モードにおいて実行するサムネイル表示変更制御を示す。図３（ａ）に示すように、通常選択モードにおいて、表示面２０Ａ内で一方方向に移動する接触点が検出されると、制御部１０は、複数のファイル選択領域ＡＳのそれぞれに対応する複数のファイルを変更する。
【００２４】
一方方向は、例えば、Ｙ軸に沿って接触点が移動していると制御部１０が判定する方向である。具体的には、例えば、１つのサムネイル２３に対応する表示面２０Ａ内を接触点が移動していると、制御部１０は、接触点がＹ軸に沿って移動していると判定する。また、例えば、Ｙ軸に沿った同じ列に表示される複数のサムネイル２３のそれぞれに対応する表示面２０Ａ内を接触点が移動していると、制御部１０は、Ｙ軸に沿って接触点が移動していると判定する。なお、一方方向の定義については、ユーザーが任意に設定できる。
【００２５】
一方方向に移動する接触点がＹ軸の正方向に向かっている場合、制御部１０は、複数のファイル選択領域ＡＳのそれぞれに対応している複数のファイルをユーザーが設定した複数のファイルの順序において末尾に近いファイルに変更する。一方、一方方向に移動する接触点がＹ軸の負方向に向かっている場合、制御部１０は、複数のファイル選択領域ＡＳのそれぞれに対応している複数のファイルをユーザーが設定した複数のファイルの順序において先頭に近いファイルに変更する。
【００２６】
本実施形態において、タッチパネル３０は、矢印Ａ１に示すように、ファイル５のサムネイル２３に対応する表示面２０Ａ内の位置Ｐ１０から、ファイル１のサムネイル２３に対応する表示面２０Ａ内の位置Ｐ２０に移動する接触点を検出する。ファイル５及びファイル１は、Ｙ軸に沿った同じ列で、表示部２０に表示されている。従って、制御部１０は、矢印Ａ１に示すように移動する接触点がＹ軸の正方向に向かって一方方向に移動していると判定する。その結果、図３（ｂ）に示すように、制御部１０は、複数のファイル選択領域ＡＳのそれぞれに対応する複数のファイルを、ユーザーが設定した複数のファイルの順序において末尾に近いファイルに変更する。表示部２０には、末尾に近いファイルのサムネイル２３が表示される。
【００２７】
以下、具体例を挙げて、表示装置１が通常選択モードにおいて実行するサムネイル表示変更制御について説明する。本具体例において、表示面２０Ａには、８個のファイル選択領域ＡＳが含まれる。８個のファイル選択領域ＡＳのそれぞれは、ファイル１〜ファイル８に対応する。表示装置１の記憶部には、ファイル１〜ファイル１２が記憶されている。ユーザーは、ファイル名の順に、ファイル１〜ファイル１２のそれぞれを複数のファイル選択領域ＡＳに対応させる。
【００２８】
まず、タッチパネル３０は、矢印Ａ１に示すように、Ｙ軸の正の方向に向かって一方方向に移動する接触点を表示面２０Ａ内で検出する。すると、制御部１０は、複数のファイル選択領域ＡＳのそれぞれに対応するファイル１〜ファイル８を、ユーザーが設定した複数のファイルの順序において末尾に近いファイル５〜ファイル１２に変更する。また、制御部１０は、ファイル選択領域ＡＳのそれぞれに重畳するように、ファイル５〜ファイル１２のそれぞれのサムネイル２３を表示部２０に表示させる。
【００２９】
一方、図３（ａ）に示すように、通常モードにおいて、表示面２０Ａ内で一方方向に交差する方向に移動する接触点が検出されると、制御部１０は、表示面２０Ａにフォルダー選択領域２１を割り当てる。一方方向に交差する方向は、例えば、Ｘ軸に沿って接触点が移動していると制御部１０が判定する方向である。具体的には、例えば、Ｙ軸に沿った列と異なる列に表示される複数のサムネイル２３のそれぞれに対応する表示面２０Ａ内を接触点が移動していると、制御部１０は、Ｘ軸に沿って接触点が移動していると判定する。また、制御部１０は、検出された表示面２０Ａ内を移動する接触点が、Ｙ軸に沿って移動していないと判定されることに基づいて、接触点が一方方向に交差する方向に移動すると判定してもよい。なお、一方方向に交差する方向の定義については、ユーザーが任意に設定できる。
【００３０】
本実施形態において、タッチパネル３０は、矢印Ａ２に示すように、位置Ｐ３０から位置Ｐ４０に移動する接触点を検出する。矢印Ａ２をＸ軸の正方向に向かうように延長すると、矢印Ａ２及び矢印Ａ１は交差する。従って、制御部１０は、矢印Ａ２に示すように移動する接触点が、一方方向に交差する方向に移動していると判定する。その結果、制御部１０は、表示面２０Ａにフォルダー選択領域２１を割り当て、表示部２０のフォルダー選択領域２１に対応する領域にフォルダーを示す画像を表示する。すなわち、制御部１０は、図２（ａ）に示すように、表示面２０ＡにフォルダーＡ〜フォルダーＨのそれぞれに対応するフォルダー選択領域２１を割り当て、表示部２０にはフォルダー選択領域２１に対応するようにフォルダーを示す画像を表示させる。
【００３１】
次に、図１及び図４を参照して連続選択モードの詳細について説明する。図４（ａ）は、連続選択モードにおいて、表示装置１が実行する連続選択制御を示す。連続選択制御とは、ユーザーが表示面２０Ａをなぞることによって複数のファイルを連続して選択する制御のことである。制御部１０は、所定の入力が検出されたことに応じてモードを切り替える。
【００３２】
所定の入力とは、例えば、タッチパネル３０がモード選択領域２４内で接触点を検出することである。制御部１０は、表示面２０Ａにモード選択領域２４をさらに割り当てる。制御部１０は、タッチパネル３０がモード選択領域２４内で接触点を検出することに応じて、通常選択モードから連続選択モードに切り替える。表示部２０のうち、モード選択領域２４に対応する位置には現在選択されているモードを示す画像が表示される。従って、ユーザーは、表示部２０を視認することで現在選択されているモードを確認できる。
【００３３】
また、所定の入力とは、例えば、タッチパネル３０がファイル選択領域ＡＳ内で所定時間以上停止した接触点を検出することであってもよい。すなわち、制御部１０は、タッチパネル３０がファイル選択領域ＡＳ内で所定時間以上停止した接触点が検出されることに応じて、通常選択モードから連続選択モードに切り替える。ユーザーは、所定時間を任意に設定できる。例えば、所定時間が２秒に設定される場合、制御部１０は、ファイル選択領域ＡＳ１内で２秒以上停止した接触点が検出されることに応じて、通常選択モードから連続選択モードに切り替える。
【００３４】
連続選択モードにおいて、制御部１０は、移動する接触点が通過し複数のファイル選択領域ＡＳのそれぞれに対応する複数のファイルを選択する。制御部１０は、選択したファイルに対応するチェックボックスが目立つように表示部２０に表示させる。例えば、制御部１０は、表示部２０に、選択したファイルに対応するチェックボックス内にチェックマークを表示させる。ユーザーは、チェックマークを視認することによって、いずれのファイルが選択されているかを確認できる。なお、いずれのファイルが選択されているかをユーザーに確認させるために、制御部１０は、チェックボックスの色を変更してもよいし、選択されたファイルのサムネイル２３を網掛け表示させてもよい。ユーザーは、選択したファイルを解除する場合、例えば、選択されたファイルに対応するファイル選択領域ＡＳ内を接触する。
【００３５】
本実施形態において、タッチパネル３０は、矢印Ａ３に示すように、位置Ｐ５０から位置Ｐ６０に移動する接触点を検出する。すなわち、タッチパネル３０は、ファイル１、ファイル２、ファイル３、ファイル４、及びファイル８のそれぞれに対応するファイル選択領域ＡＳを通過して移動する接触点を検出する。従って、制御部１０は、ファイル１、ファイル２、ファイル３、ファイル４、及びファイル８を選択すると共に、ファイル１、ファイル２、ファイル３、ファイル４、及びファイル８のそれぞれに対応するチェックボックスを目立たせる。本実施形態では、ファイル１、ファイル２、ファイル３、ファイル４、及びファイル８のそれぞれに対応するチェックボックス内にチェックマークが表示される。
【００３６】
図４（ｂ）は、表示装置１が連続選択モードにおいて実行するサムネイル表示変更制御を示す。連続選択モードにおいて、タッチパネル３０が表示面２０Ａ内でファイル選択領域ＡＳ内を通過せずに移動する接触点を検出すると、制御部１０は、通常選択モードと同様に、複数のファイル選択領域ＡＳのそれぞれに対応する複数のファイルを変更する。
【００３７】
一方、連続選択モードにおいて、タッチパネル３０が表示面２０Ａ内でファイル選択領域ＡＳ内を通過して移動する接触点を検出すると、制御部１０は、複数のファイル選択領域ＡＳのそれぞれに対応する複数のファイルを維持させる。すなわち、連続選択モードにおいて、ユーザーがファイル選択領域ＡＳ内を通過するように表示面２０Ａをなぞっても複数のファイル選択領域ＡＳのそれぞれに対応する複数のファイルは変更されず、表示部２０に表示される複数のサムネイル２３も変更されない。従って、連続選択モードにおいて、ユーザーがファイル選択領域ＡＳ内を通過するように表示面２０Ａをなぞる場合、表示部２０の表示内容は変更されない。
【００３８】
本実施形態において、タッチパネル３０は、矢印Ａ４に示すように、位置Ｐ７０から位置Ｐ８０に移動する接触点を検出する。矢印Ａ４は、ファイル選択領域ＡＳを通過していない。従って、複数のファイル選択領域ＡＳのそれぞれに対応する複数のファイルは、変更される。一方、タッチパネル３０は、矢印Ａ５に示すように、位置Ｐ９０から位置Ｐ１００に移動する接触点を検出する。矢印Ａ５は、ファイル選択領域ＡＳを通過している。従って、複数のファイル選択領域ＡＳのそれぞれに対応する複数のファイルが維持され、ファイル４及びファイル８が選択される。
【００３９】
制御部１０は、ファイル選択領域ＡＳ内で所定時間以上停止した接触点が検出されることに応じて、連続選択モードから通常選択モードに切り替える。なお、制御部１０は、モード選択領域２４内で接触点が検出されることに応じて、連続選択モードから通常選択モードに切り替えてもよい。連続選択モードにおいて、ユーザーがファイル選択領域ＡＳ内をなぞった後に、表示面２０Ａへの接触を離した場合、連続選択モードが維持されてもよいし、通常選択モードに切り替えられてもよい。
【００４０】
図１〜図５を参照して、表示装置１が実行する連続選択制御方法について説明する。図５は、連続選択制御方法を示すフローチャートである。連続選択制御方法は、ステップＳ１０〜ステップＳ５０を実行することによって、複数のファイルを連続して選択する。具体的には以下の通りである。まず、制御部１０は、通常選択モードを選択している。
【００４１】
ステップＳ１０において、タッチパネル３０が、ファイル選択領域ＡＳ内で接触点を検出する。ステップＳ２０において、制御部１０は、検出された接触点が位置するファイル選択領域ＡＳに対応するファイルを選択する。
【００４２】
ステップＳ３０において、制御部１０は、検出された接触点の停止する時間、すなわち、ユーザーが指を動かさずに表示面２０Ａを接触する接触時間が所定時間を超えたか否かを判定する。ステップＳ３０において否定的判定（ＮＯ）がされた場合、処理は、ステップＳ１０に戻る。すなわち、ユーザーが指を動かさずに表示面２０Ａを接触する接触時間が所定時間を超えなければ、通常選択モードが維持される。ステップＳ３０において肯定的判定（ＹＥＳ）がされた場合、処理は、ステップＳ４０に進む。ステップＳ４０において、制御部１０は、通常選択モードから連続選択モードに切り替える。
【００４３】
ステップＳ５０において、制御部１０は、タッチパネル３０に検出された接触点が通過したファイル選択領域ＡＳに対応するファイルを選択していく。すなわち、ユーザーは、表示面２０Ａに表示されるチェックボックスをなぞることで、複数のファイルを連続して選択する。
【００４４】
以上、図１〜図５を参照して説明したように、実施形態１によれば、ファイル選択領域ＡＳで所定時間以上停止した接触点が検出されると、通常選択モードから連続選択モードに変更される。従って、ユーザーは、表示部２０の表示面２０Ａをタッチするだけで、モードを連続選択モードに切り替えることができる。その結果、ユーザーは、簡易な操作でファイルを連続選択モードに移行できる。
【００４５】
また、実施形態１によれば、ファイル選択領域ＡＳ内で所定時間以上停止した接触点が検出された後、すなわち連続選択モードにおいて、接触点が通過したファイル選択領域ＡＳに対応するファイルが選択される。従って、ユーザーは、表示面２０Ａ上で指を動かして複数のファイルを選択できる。その結果、ユーザーは、簡易な操作で複数のファイルを選択できる。
【００４６】
さらに、実施形態１によれば、連続選択モードにおいて、表示面２０Ａのうちファイル選択領域ＡＳ内を通過して移動する接触点に応じて複数のファイル選択領域ＡＳのそれぞれに対応する複数のファイルが維持される。従って、ユーザーは、連続選択モードにおいて、複数のファイル選択領域ＡＳのそれぞれに対応する複数のファイルを維持させつつ、表示面２０Ａ上で指を動かして複数のファイルを選択できる。その結果、ユーザーは、さらに簡易な操作で複数のファイルを選択できる。
【００４７】
さらに、実施形態１によれば、連続選択モードにおいて、表示面２０Ａのうちファイル選択領域ＡＳ内を通過しないで移動する接触点に応じて複数のファイル選択領域ＡＳのそれぞれに対応する複数のファイルが変更される。従って、ユーザーは、連続選択モードにおいて、表示面２０Ａ上で指を動かして他の複数のファイルを選択できる。その結果、ユーザーは、さらに簡易な操作で複数のファイルを選択できる。
【００４８】
（実施形態２）
図６を参照して、本発明の実施形態２に係る画像形成装置２について説明する。図６は、画像形成装置２を示す。画像形成装置２は、例えば、複写機、プリンター、ファクシミリ、又は複合機である。複合機は、例えば、複写機、プリンター、及びファクシミリのうち少なくとも２つの機器を備える。
【００４９】
画像形成装置２は、制御部１０と、原稿搬送部１００と、画像読取部１１０と、収納部１２０と、搬送部１３０と、画像形成部１４０と、定着部１５０と、排出部１６０と、複数のファイルを記憶する記憶部１７０とを備える。シートＴは、シート搬送方向に沿って画像形成装置２の内部を搬送される。
【００５０】
制御部１０は、実施形態１に係る制御部１０として機能し、表示部２０は、実施形態１に係る表示部２０として機能し、タッチパネル３０は、実施形態１に係るタッチパネル３０として機能する。従って、画像形成装置２に備えられる制御部１０、表示部２０、及びタッチパネル３０は、実施形態１に係る表示装置１を構成する。
【００５１】
原稿搬送部１００は、画像読取部１１０に向けて原稿を搬送する。画像読取部１１０は、原稿の画像を読み取って画像データを生成する。収納部１２０はシートＴを収納する。収納部１２０は、カセット１２１及び手差しトレイ１２３を含む。カセット１２１はシートＴを積載する。シートＴは、カセット１２１又は手差しトレイ１２３から搬送部１３０に送り出される。シートＴは、例えば、普通紙、コピー紙、再生紙、薄紙、厚紙、光沢紙、又はＯＨＰ（Ｏｖｅｒｈｅａｄ  Ｐｒｏｊｅｃｔｏｒ）シートである。
【００５２】
搬送部１３０は、画像形成部１４０にシートＴを搬送する。画像形成部１４０は、感光体ドラム１４１、帯電部１４２、露光部１４３、現像部１４４、転写部１４５、クリーニング部１４６、及び除電部１４７を含み、シートＴに画像を形成（印刷）する。
【００５３】
画像の形成されたシートＴは定着部１５０に向けて搬送される。定着部１５０は、シートＴを加熱及び加圧して、シートＴに画像を定着させる。画像が定着されたシートＴは排出部１６０に向けて搬送される。排出部１６０はシートＴを排出する。
【００５４】
記憶部１７０は、主記憶装置（例えば、半導体メモリー）及び補助記憶装置（例えば、ハードディスクドライブ）を含む。
【００５５】
制御部１０は、画像形成装置２の各要素を制御する。具体的には、制御部１０が、記憶部１７０に格納されたコンピュータープログラムを実行することにより、表示部２０、原稿搬送部１００、画像読取部１１０、収納部１２０、搬送部１３０、画像形成部１４０、及び定着部１５０を制御する。制御部１０は、例えば、ＣＰＵ（Ｃｅｎｔｒａｌ  Ｐｒｏｃｅｓｓｉｎｇ  Ｕｎｉｔ）である。
【００５６】
以上、図６を参照して説明したように、実施形態２によれば、画像形成装置２は、実施形態１に係る表示装置１として機能する。従って、実施形態１と同様に、複数のファイルを連続して選択できる。その他、実施形態１と同様の効果を得ることができる。
【００５７】
以上、図面（図１〜図６）を参照しながら本発明の実施形態について説明した。但し、本発明は、上記の実施形態に限られるものではなく、その要旨を逸脱しない範囲で種々の態様において実施することが可能である（例えば、下記に示す態様）。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００５８】
図２〜図４を参照して説明したように、表示部２０に表示されるモードを示す画像によって、選択されているモードをユーザーに確認させた。ただし、制御部１０が表示部２０に表示される内容、例えば表示部２０に表示される背景色を選択されているモードに応じて変更させることで、選択されているモードをユーザーに確認させてもよい。
【産業上の利用可能性】
【００５９】
本発明は、表示装置及び画像形成装置に関するものであり、産業上の利用可能性を有する。
【符号の説明】
【００６０】
１      表示装置
２      画像形成装置
１０    制御部
２０    表示部
２０Ａ  表示面
２１    フォルダー選択領域
２３    サムネイル
２４    モード選択領域
３０    タッチパネル（検出部）
ＡＳ    ファイル選択領域
Ｔ      シート
【図１】
2016218841.tif 000003
【図２】
2016218841.tif 000004
【図３】
2016218841.tif 000005
【図４】
2016218841.tif 000006
【図５】
2016218841.tif 000007
【図６】
2016218841.tif 000008